(57)【特許請求の範囲】
【請求項１】
フレキシブルダクト（２５）端部を解除可能な締め具により、強く締着あるいは挟持できるようにしてそれをまとめたる所に台座をもうけ、それに回動する取っ手を連接し、それをしっかりとした柱、足場等（２９）に固定しもう片方のフレキシブルダクト（２５）の端を手で持ち、あるいはもう片方にも前記締め具を強く締着し、それを持ち引き伸ばすことにより適宜所定の長さにフレキシブルダクト（２５）を引き伸ばすことのできることを特徴とするフレキシブルダクト引き伸ばし工具。
【請求項２】
バンドの両端が輪になるように寄せられたところに解除可能な締め具をもうけ、それを締めることにより前記バンドにより、フレキシブルダクト（２５）端部に強く締着できるようにし前記バンドに数本のベルトを周設しその先端部を一カ所にまとめたる台座に、回動する取っ手を連接しそれをしっかりとした柱、足場等に固定しもう片方のフレキシブルダクト（２５）の端を持ち、引き伸ばすことにより適宜所定の長さに引き伸ばすことのできることを特徴とする請求項１記載のフレキシブルダクト引き伸ばし工具。
【請求項３】
前記解除可能な締め具がラチェット機構の締め具（１）をもうけることを特徴とする請求項２記載のフレキシブルダクト引き伸ばし工具。
【請求項４】
前記解除可能な締め具がボルト、ナットによる締め具（２）をもうけることを特徴とする請求項２記載のフレキシブルダクト引き伸ばし工具。
【請求項５】
前記解除可能な締め具がウオームギヤーによる締め具（３）をもうけることを特徴とする請求項２記載のフレキシブルダクト引き伸ばし工具。
【請求項６】
前記解除可能な締め具がてこを利用した締め具（４）をもうけることを特徴とする請求項２記載のフレキシブルダクト引き伸ばし工具。
【請求項７】
複数個の解除可能なクランプ（５）によりフレキシブルダクト（２５）端部を強く挟持しそれらをガイド（１８）を介し一カ所にまとめた台座（５ｃ）に回動する取っ手（５ｄ）を連接し、それをしっかりとした柱、足場等（２９）に固定しもう片方のフレキシブルダクト（２５）の端を持ち、引き伸ばすことにより適宜所定の長さに引き伸ばすことのできることを特徴とする請求項１記載のフレキシブルダクト引き伸ばし工具。
【請求項８】
複数個の解除可能なクランプ（６）によりフレキシブルダクト（２５）端部を強く挟持しそれらを連接ロッド（１９）を介し一カ所にまとめた台座（６ｃ）に回動する取っ手（６ｄ）を連接し、それをしっかりとした柱、足場等（２９）に固定しもう片方のフレキシブルダクト（２５）の端を持ち、引き伸ばすことにより適宜所定の長さに引き伸ばすことのできることを特徴とする請求項１記載のフレキシブルダクト引き伸ばし工具。
【発明の詳細な説明】
【技術分野】
【０００１】  本発明は、従来フレキシブルダクトは使用前製品については本来製作された時点において何分の１の長さに圧縮された状態で形成されており、それを使用時には何倍かに引き伸ばすことが必要なため、フレキシブルダクトの引き伸ばしが容易なフレキシブルダクト引き伸ばし工具に関するものである。
【背景技術】
【０００２】  従来この種のフレキシブルダクト類を引き伸ばすとき、フレキシブルダクト両端をそれぞれ二人がかりにてその両端を指にて強く保持しつつお互いが引っ張りあって引き伸ばしていたため、複数の人力が必要であり、一人での作業ができなかった。
【発明の概要】
【発明が解決しようとする課題】
【０００３】  従来の方法には次のような欠点あった。
１  フレキシブルダクト引き伸ばしに関わる人数が二人は必要であった。
２  二人がかりにてその両端を持ち、指にて強く保持しつつお互いが引っ張りあって引き伸ばしているとき息が合わず手を離す、又手で持ちきれず離してしまった時などは転倒などをし、非常に危険な作業になることもある、本発明は、以上のような欠点をなくすためになされたものである。
【課題を解決するための手段】
【０００４】  本発明は、上記課題を解決するためにフレキシブルダクト端部に解除可能な締め具により、強く締着あるいは挟持できるようにしてそれらをまとめたる所に台座をもうけ、それに回動する取っ手を連接し、それをしっかりとした柱、足場等に固定しもう片方のフレキシブルダクトの端を手で持ち、あるいはもう片方にも前記締具を強く締着、あるいは挟着しそれを持ち適宜所定の長さにフレキシブルダクトを引き伸ばすことのできることを特徴とするフレキシブルダクト引き伸ばし工具。
【発明の効果】
【０００５】  上述したように本発明のフレキシブルダクト引き伸ばし工具は一人にてもフレキシブルダクトを適宜所定の長さに容易に引き伸ばすことが可能である。又手で持ち引き延ばすのに手指等に負担がかかる場合は人が持つ方にもフレキシブルダクト引き延ばし工具を装着してその取っ手を持ち引き伸ばすようにすれば人の手にかかる負担を非常に軽減することができる。
【図面の簡単な説明】
【０００６】
【図１】締め具がラチェット機構をもうけた請求項３に記載した斜視図である。
【図２】締め具がボルト、ナットによる請求項４に記載した斜視図である。
【図３】締め具がウオームギヤーによる請求項５に記載した斜視図である。
【図４】締め具がてこを利用による請求項６に記載した斜視図である。
【図５】締め具が複数個のクランプによる請求項７に記載した斜視図である。
【図６】締め具が複数個のクランプによる請求項８に記載した斜視図である。
【図７】フレキシブルダクトを二人にて持ち引き伸ばす前の斜視図である。
【図８】フレキシブルダクトを二人にて持ち引き伸ばし後の斜視図である。
【図９】フレキシブルダクトにフレキシブルダクト引き伸ばし工具を一端に装着し足場等に固定して片方を持ち引き伸ばす前の斜視図である。
【図１０】フレキシブルダクトにフレキシブルダクト引き伸ばし工具を一端に装着し足場等に固定して片方を持ち引き伸ばし後の斜視図である。
【図１１】フレキシブルダクトにフレキシブルダクト引き伸ばし工具を一端に装着し足場等に固定してもう一方にも該フレキシブルダクト引き伸ばし工具を装着しそれを持ち引き伸ばす前の斜視図である。
【図１２】フレキシブルダクトにフレキシブルダクト引き伸ばし工具を一端に装着し足場等に固定してもう一方にも該フレキシブルダクト引き伸ばし工具を装着しそれを持ち引き伸ばし後の斜視図である。
【図１３】引き伸ばし前のフレキシブルダクトである。
【図１４】引き伸ばし後のフレキシブルダクトである。
【発明を実施するための形態】
【０００６】
【実施例】
【０００７】  以下本発明の実施の形態を図１〜図２４に基づいて説明する。【０００８】  図１においてはバンド（１ａ）の両端が輪になるように寄せられたところに解除可能な締め具（１）をもうけそれを締めることによりそのバンド（１ａ）によりフレキシブルダクト（２５）端部に強く締着できるようにしそのバンド（１ａ）に数本のベルト（１ｂ）を周設しその先端部を一カ所にまとめたる所に台座（１ｃ）をもうけ、それに回動する取っ手（１ｄ）を連接する、本発明は以上のような構造でこれを使用するときは前記バンド（１ａ）を伸ばそうとするフレキシブルダクトの端部に締め具（１）にて強く締着しその取っ手（１ｄ）を柱、足場（２９）等堅固な物に取り付け、フレキシブルダクト（２５）のもう一方を持ち所定の長さに引き伸ばす。又手で持ち引き延ばすのに手指等に負担がかかる場合は人が持つ方にもフレキシブルダクトの端部に締め具（１）にて強く締着しその取っ手（１ｄ）を持ち引き延ばすようにすれば人の手にかかる負担を非常に軽減することができる。
図２においてはバンド（２ａ）の両端が輪になるように寄せられたところに解除可能な締め具（１）をもうけそれを締めることによりそのバンド（２ａ）によりフレキシブルダクト（２５）端部に強く締着できるようにしそのバンド（２ａ）に数本のベルト（１ｂ）を周設しその先端部を一カ所にまとめたる所に台座（２ｃ）をもうけ、それに回動する取っ手（２ｄ）を連接する、本発明は以上のような構造でこれを使用するときは前記バンド（２ａ）を伸ばそうとするフレキシブルダクトの端部に締め具（２）にて強く締着しその取っ手（２ｄ）を柱、足場（２９）等堅固な物に取り付け、フレキシブルダクト（２５）のもう一方を持ち所定の長さに引き伸ばす。又手で持ち引き延ばすのに手指等に負担がかかる場合は人が持つ方にもフレキシブルダクトの端部に締め具（１）にて強く締着しその取っ手（１ｄ）を持ち引き延ばすようにすれば人の手にかかる負担を非常に軽減することができる。
図３においてはバンド（３ａ）の両端が輪になるように寄せられたところに解除可能な締め具（３）をもうけそれを締めることによりそのバンド（３ａ）によりフレキシブルダクト（２５）端部に強く締着できるようにしそのバンド（３ａ）に数本のベルト（１ｂ）を周設しその先端部を一カ所にまとめたる所に台座（３ｃ）をもうけ、それに回動する取っ手（３ｄ）を連接する、本発明は以上のような構造でこれを使用するときは前記バンド（３ａ）を伸ばそうとするフレキシブルダクトの端部に締め具（３）にて強く締着しその取っ手（３ｄ）を柱、足場（２９）等堅固な物に取り付け、フレキシブルダクト（２５）のもう一方を持ち所定の長さに引き伸ばす。又手で持ち引き延ばすのに手指等に負担がかかる場合は人が持つ方にもフレキシブルダクトの端部に締め具（３）にて強く締着しその取っ手（３ｄ）を持ち引き延ばすようにすれば人の手にかかる負担を非常に軽減することができる。
図４においてはバンド（４ａ）の両端が輪になるように寄せられたところに解除可能な締め具（４）をもうけそれを締めることによりそのバンド（４ａ）によりフレキシブルダクト（２５）端部に強く締着できるようにしそのバンド（４ａ）に数本のベルト（４ｂ）を周設しその先端部を一カ所にまとめたる所に台座（１ｃ）をもうけ、それに回動する取っ手（４ｄ）を連接する、本発明は以上のような構造でこれを使用するときは前記バンド（４ａ）を伸ばそうとするフレキシブルダクトの端部に締め具（４）にて強く締着しその取っ手（４ｄ）を柱、足場（２９）等堅固な物に取り付け、フレキシブルダクト（２５）のもう一方を持ち所定の長さに引き伸ばす。又手で持ち引き延ばすのに手指等に負担がかかる場合は人が持つ方にもフレキシブルダクトの端部に締め具（４）にて強く締着しその取っ手（４ｄ）を持ち引き延ばすようにすれば人の手にかかる負担を非常に軽減することができる。
図５においては複数個の解除可能なクランプ（５）によりフレキシブルダクト（２５）端部を強く挟持しそれらをガイド（１８）を介し一カ所にまとめた台座（５ｃ）に回動する取っ手（５ｄ）を連接する、本発明は以上のような構造でこれを使用するときは前記複数個の解除可能なクランプ（５）を伸ばそうとするフレキシブルダクトの端部に強く挟持しその取っ手（５ｄ）を柱、足場（２９）等堅固な物に取り付け、フレキシブルダクト（２５）のもう一方を持ち所定の長さに引き伸ばす。又手で持ち引き延ばすのに手指等に負担がかかる場合は人が持つ方にもフレキシブルダクトの端部に締め具（５）にて強く締挟しその取っ手（５ｄ）を持ち引き延ばすようにすれば人の手にかかる負担を非常に軽減することができる。
図６においては複数個の解除可能なクランプ（６）によりフレキシブルダクト（２５）端部を強く挟持しそれらを連接ロッド（１９）介し一カ所にまとめた台座（６ｃ）に回動する取っ手（６ｄ）を連接する、本発明は以上のような構造でこれを使用するときは前記複数個の解除可能なクランプ（６）を伸ばそうとするフレキシブルダクトの端部に強く挟持しその取っ手（６ｄ）を柱、足場（２９）等堅固な物に取り付け、フレキシブルダクト（２５）のもう一方を持ち所定の長さに引き伸ばす。又手で持ち引き延ばすのに手指等に負担がかかる場合は人が持つ方にもフレキシブルダクトの端部に締め具（６）にて強く挟持しその取っ手（６ｄ）を持ち引き延ばすようにすれば人の手にかかる負担を非常に軽減することができる。
【符号の説明】
【０００９】１  解除可能なラチェット機構の締具
１ａ  バンド
１ｂ  ベルト
１ｃ  台座
１ｄ  取っ手
１ｅ  レバーａ
１ｆ  レバーｂ
１ｇ  解除レバーａ
１ｈ  解除レバーｂ
２  解除可能なボルト、ナットによる締具
２ａ  バンド
２ｂ  ベルト
２ｃ  台座
２ｄ  取っ手
２ｅ  つまみ
２ｆ  ボルト
２ｇ  ナット
２ｈ  バネ
３  解除可能なウオームギア機構の締具
３ａ  バンド
３ｂ  ベルト
３ｃ  台座
３ｄ  取っ手
３ｅ  つまみ
３ｆ  ウオームギア
３ｇ  溝ベルト
４  解除可能なてこ機構の締具
４ａ  バンド
４ｂ  ベルト
４ｃ  台座
４ｄ  取っ手
１５  ハンドル
１６  てこ機構
５  解除可能なクランプ機構の締具その１
５ａ  バンド
５ｂ  ベルト
５ｃ  台座
５ｄ  取っ手
５ｅ  つまみ
５ｆ  ボルト
５ｇ  ナット
５ｈ  バネ
１７  クランプ
５ｉ  滑り止め材
１８  ガイド
６  解除可能なクランプ機構の締具その２
６ｃ  台座
６ｄ  取っ手
６ｅ  つまみ
６ｆ  ボルト
６ｇ  ナット
６ｈ  バネ
１８  クランプ
１９  連接ロッド
６ｉ  滑り止め材
２０  フレキシブルダクト
２５  引き伸ばし前フレキシブルダクト
２６  引き伸ばし後フレキシブルダクト
２７  人物１
２８  人物の手
２９  足場
３０  解除可能なラチェット機構の締具をフレキシブルダクトに装着した図
３１  解除可能なボルト、ナットによる締具をフレキシブルダクトに装着した図
３２  解除可能なウオームギア機構の締具をフレキシブルダクトに装着した図
３３  解除可能なてこ機構の締具をフレキシブルダクトに装着した図
３４  解除可能なクランプ機構の締具その１をフレキシブルダクトに装着した図
３５  解除可能なクランプ機構の締具その２をフレキシブルダクトに装着した図
３６  引き伸ばし前のフレキシブルダクトを二人にて引き伸ばそうとしている図
３７  引き伸ばし前のフレキシブルダクトを二人にて引き伸ばし後の図
３８  引き伸ばし前のフレキシブルダクトを一人にて片方にフレキシブルダクト引き伸ばし工具を装着しそれを足場等に固定し引き伸ばし前の図
３９  引き伸ばし前のフレキシブルダクトを一人にて片方にフレキシブルダクト引き伸ばし工具を装着しそれを足場等に固定し引き伸ばし後の図
４０  引き伸ばし前のフレキシブルダクトを一人にて両方にフレキシブルダクト引き伸ばし工具を装着し片方を足場等に固定し引き伸ばし前の図
４１  引き伸ばし前のフレキシブルダクトを一人にて両方にフレキシブルダクト引き伸ばし工具を装着し片方を足場等に固定し引き伸ばし後の図
【図１】
0005818151.tif 000002
【図２】
0005818151.tif 000003
【図３】
0005818151.tif 000004
【図４】
0005818151.tif 000005
【図５】
0005818151.tif 000006
【図６】
0005818151.tif 000007
【図７】
0005818151.tif 000008
【図８】
0005818151.tif 000009
【図９】
0005818151.tif 000010
【図１０】
0005818151.tif 000011
【図１１】
0005818151.tif 000012
【図１２】
0005818151.tif 000013
【図１３】
0005818151.tif 000014
【図１４】
0005818151.tif 000015